(57)【要約】  医療製品を収容、保管、展示および輸送するためのパッケージ。パッケージは、複数のパネルによって形成された本体を有し、少なくとも１つのパネルが第１の層および第２の層を有する。タブが第１の層と一体成形される。タブは、第１の層と実質的に同じ平面にある第１の位置から、タブが第１の層に対して角度をなして配置される第２の位置まで、第１の層に形成された少なくとも１つのヒンジによって枢動可能である。【選択図】図１
2014506818.tif 000002
【特許請求の範囲】
【請求項１】
複数のパネルを含み、少なくとも１つのパネルが第１の層および第２の層を含む、本体と、
第１の層と一体成形されたタブであって、第１の層と実質的に同じ平面にある第１の位置から、該タブが第１の層に対して角度をなして配置される第２の位置まで、第１の層に形成された少なくとも１つのヒンジによって枢動可能である該タブと
を備える医療製品用のパッケージ。
【請求項２】
タブが１対のヒンジによって第１の層に連結される請求項１に記載のパッケージ。
【請求項３】
少なくとも１つのヒンジが切込みを含む請求項１に記載のパッケージ。
【請求項４】
タブが第１の位置にあるとき、タブが拘束機構によって第１の層に連結される請求項１に記載のパッケージ。
【請求項５】
拘束機構が、少なくとも１つの穿孔済みのシームを含む請求項４に記載のパッケージ。
【請求項６】
第１の層が実質的に平面であり、タブが実質的に平面である請求項１に記載のパッケージ。
【請求項７】
複数のパネルが、連結されて、その中に空間を画成する密閉構造を与える請求項１に記載のパッケージ。
【請求項８】
空間は、タブが第１の位置および第２の位置にあるとき、密閉構造の外部の環境から接近できない請求項７に記載のパッケージ。
【請求項９】
タブがその中に形成された開口部を含む請求項１に記載のパッケージ。
【請求項１０】
開口部が充填要素を含む請求項９に記載のパッケージ。
【請求項１１】
開口部の周縁部が、充填要素を取り除くことを可能にするように穿孔される請求項１０に記載のパッケージ。
【請求項１２】
第１の層が接着剤によって第２の層に固定される請求項１に記載のパッケージ。
【請求項１３】
第１の層が、その下面に、第２の層の上側表面に接着するために塗布された接着剤を含む請求項１に記載のパッケージ。
【請求項１４】
接着剤が第１の層の下面を実質的にすべて覆う請求項１３に記載のパッケージ。
【請求項１５】
接着剤が第１の層の下面の所定の部分を覆う請求項１３に記載のパッケージ。
【発明の詳細な説明】
【技術分野】
【０００１】
本開示は一般に、例えば医薬品のような医療製品を収容、保管、展示および輸送するためのパッケージに関する。
【背景技術】
【０００２】
医薬業界では、医療製品の保管、展示および出荷、ならびに製品に関連する情報の提示のために、一般的にはカートンのようなパッケージが用いられる。そうしたパッケージは、通常、パッケージの側面から垂れ下がるタブを備えることができ、それによって、パッケージを展示用のボードまたは壁に釘留めすることができる。一方、パッケージは、タブが空間を占有せず、かつ互いに干渉することなく、パッケージをコンパクトに積み重ねた形で包装することができるように、パッケージから常に突き出しているタブに似た構造を避けるように設計することが望ましい。したがって、パッケージを輸送し、保管し、展示する間、空間が限られるという無駄を避けることができる。
【０００３】
特に医療製品の領域では、包装によって、不正開封を阻止する、かつ／または不正開封の証拠を示すことがさらに望ましい。すなわち、パッケージは、不正開封の証拠（例えば視覚的、触覚的なものなど）がなければ、パッケージ内の製品が製造業者から出荷されて以来変わっていないことを保証すべきである。同様に、そうしたパッケージの中に入れた製品には、最終使用者以外だれも接触できないことが望ましい。例えばパッケージは、パッケージ内の製品に触れる、もしくはこれを手で扱うことができる、またはほこり、ごみ、もしくは他の細片がパッケージ内に入り、積もる可能性がある開口を含むべきではない。
【発明の概要】
【発明が解決しようとする課題】
【０００４】
したがって、保管および輸送中のパッケージの包装性を損なうことなく、つるすまたは釘留めすることができ、また不正開封を阻止する、かつ／または不正開封の証拠を示すだけではなく、パッケージの内容物を望ましくない扱いまたは細片から保護する、新規な医療製品用のパッケージを提供することが望ましい。
【０００５】
本明細書に記載するように、本発明の例示的な実施形態は、当技術分野で知られている前述の弱点および他の弱点の１つまたはそれ以上を克服する。
【課題を解決するための手段】
【０００６】
本発明の例示的な態様は、医療製品用のパッケージに関する。パッケージは、複数のパネルを含む本体を含み、少なくとも１つのパネルが第１の層および第２の層を含む。パッケージは、第１の層と一体成形されたタブをさらに含み、タブは、第１の層と実質的に同じ平面にある第１の位置から、タブが第１の層に対して角度をなして配置される第２の位置まで、第１の層に形成された少なくとも１つのヒンジによって枢動可能である。
【０００７】
例えばタブは、１対のヒンジによって第１の層に連結される。
【０００８】
例えば少なくとも１つのヒンジは、切込みを含む。
【０００９】
例えばタブが第１の位置にあるとき、タブは、拘束機構によって第１の層に連結される。例えば拘束機構は、少なくとも１つの穿孔済みのシームを含む。
【００１０】
例えば、第１の層は実質的に平面であり、タブは実質的に平面である。
【００１１】
例えば、複数のパネルが、連結されて、その中に空間を画成する密閉構造を与える。例えば空間は、タブが第１の位置および第２の位置にあるとき、密閉構造の外部の環境から接近できない。
【００１２】
例えばタブは、その中に形成された開口部を含む。例えばその開口部は、充填要素を含む。例えばその開口部の周縁部は、充填要素を取り除くことを可能にするように穿孔される。
【００１３】
例えば第１の層は、接着剤によって第２の層に固定される。
【００１４】
例えば第１の層は、その下面に、第２の層の上側表面に接着するために塗布された接着剤を含む。例えば接着剤は、第１の層の下面を実質的にすべて覆う。例えば接着剤は、第１の層の下面の所定の部分を覆う。
【００１５】
本発明のこれらのならびに他の態様および利点は、添付図面と共に考察される以下の詳細な説明から明らかになるであろう。しかしながら、図面は単に例示のためのものであり、本発明の範囲を規定するものとしてのものではなく、本発明の範囲については、添付の特許請求の範囲を参照すべきであることを理解されたい。さらに、図面は必ずしも正確な縮尺率で描かれているとは限らず、別段の指示のない限り、図面は本明細書に記載される構造および手順を概念的に説明するためのものにすぎない。
【図面の簡単な説明】
【００１６】
【図１】パッケージの枢動可能なタブが第１の位置に示された、本発明の例示的な実施形態による医療製品用のパッケージの斜視図である。
【図２】枢動可能なタブが第２の位置に示された、本発明の例示的な実施形態による医療製品用のパッケージの斜視図である。
【発明を実施するための形態】
【００１７】
図１は、本発明の例示的な実施形態によるパッケージ１００の斜視図である。パッケージ１００は、例えば医療製品のような様々な製品の輸送、保管および展示、ならびに製品に関連する情報の展示に適している。本発明の例示的な実施形態について、医療製品を入れるパッケージ１００を参照して記載するが、当業者には、パッケージ１００が、任意の数の製品または任意のタイプの製品を入れることが可能であることが理解されるであろう。
【００１８】
示されるように、例示的な実施形態において、パッケージ１００は、医療製品を入れるための本体１１０、および本体１１０に取り付けられ、本体１１０に対して第１の位置と第２の位置の間で枢動可能または折曲げ可能なタブ１４０を含む。
【００１９】
図１に示す例示的な実施形態では、本体１１０は、上部パネル１１２および向かい側の底部パネル１１４、前部パネル１１６および向かい側の後部パネル１１８、ならびに左パネル１２０および向かい側の右パネル１２２を有する、実質的にボックスの形である。パネル１１２〜１２２は、共に折り曲げられたとき、医療製品を入れるための空間を内部に画成する密閉構造を形成するように（例えば単一の空所として）連結される。折り曲げてボックスにすると、パネル１１２〜１２２は（例えば適切な接着剤を用いて、またはタブおよび溝によって）密封されて、ほこり、ごみ、細片および／または光が本体１１０に入ることが防止され、パッケージ１００内の医療製品を良好に保管することができる。医療製品に関する情報および／またはアートワーク（例えば商標、ロゴなど）を、パネル１１２〜１２２の１つまたはそれ以上の上に印刷する、あるいは他の方法で示すことができる。
【００２０】
示される実施形態において、本体１１０は実質的にボックスの形であり、向かい合うパネル同士が同じ寸法に定められ、実質的に平面かつ互いに平行である。しかしながら、本体ならびにパネルの形状および外形のある種の変形形態および変更形態は、本発明の範囲内である。例えば、複数のパッケージを積み重ねるとき、それらを共に入れ子式にすることができるように、前部パネルを凹形に、後部パネルを凸形にして、パッケージに入れ子式の特徴を与えることが可能である。さらに、前部パネルは、医療製品が消費者に見えるようにする密閉された窓を含むことができる。
【００２１】
図１および図２の両方に示されるように、タブ１４０を上部パネル１１２に取り付け、上部パネル１１２に対して第１の位置と第２の位置の間で枢動可能にすることができる。当業者には理解されるように、タブ１４０は上部パネル１１２から切り離すことができる。タブ１４０は、内部に形成された開口１４２を有し、この開口１４２は、タブ１４０を貫通して延在する。例示的な実施形態において、タブ１４０は、開口１４２の両側に配置され上部パネル１１２と一体成形された１対のヒンジ１４４によって、上部パネル１１２に取り付けられる。示される実施形態において、ヒンジは、予め形成された折り目または切込みの形であり、それによって、タブ１４０は上部パネル１１２に対して枢動する／折り曲がることが可能になる。例えばタブ１４０の寸法を調整するために、上部パネル１１２上のヒンジ１４４の位置を調整することができる。開口１４２は、その内部に形成された充填要素（図示せず）を含むことができ、開口１４２の周縁部は、タブ１４０を使用するときに充填要素を取り除くための１つまたはそれ以上の穿孔を含むことができる。当業者には、タブ１４０は、パネルの任意のものから、開口１４２を伴って形成することができ、任意の大きさおよび／または形にすることが可能であることが理解されるであろう。
【００２２】
図１は、タブ１４０が上部パネル１１２と実質的に同じ平面にあり、したがって、タブ１４０が上部パネル１１２から突出しない、タブ１４０の第１の位置を示す。したがって、タブ１４０が第１の位置にあるとき、パッケージ１００は輸送、保管および展示に適しており、したがって、特に突出するタブおよび隣接するパッケージのタブ間の干渉によって、輸送車両、倉庫の中または店舗の棚の上に生じる空間の無駄を避けることができるようになる。
【００２３】
タブ１４０を第１の位置に維持するために、拘束機構１４６を設けることができる。示される実施形態において、拘束機構１４６は、タブ１４０の横方向の側面の境界をなす、１対の穿孔済みのシーム１４６を含むことができる。穿孔済みのシーム１４６は、タブ１４０と上部パネル１１２の間の連結をもたらすが、さらにパッケージ１００を扱う使用者が、タブ１４０と上部パネル１１２の間の連結を断つと同時に、タブ１４０を第１の位置から図２に示す第２の位置に枢動することを可能にする。しかしながら、当業者には、テープまたは接着剤のような他の適切な手段を、穿孔済みのシームの適所におよび／またはそれに加えて、使用することが可能であることが理解される。例えば、接着剤の薄い層をタブ１４０の下面に塗布して、これが輸送、包装などの間に意図せずに外れる、または折り曲がることがないように防止することができる。タブ１４０は、使用者がタブ１４０をシーム１４６から取り外し、タブ１４０を第２の位置まで枢動することを可能にする、１つまたはそれ以上の丸いまたは折曲げ可能な縁部をさらに含むことができる。示される実施形態では、縁部は、ヒンジ１４４の向かい側に、シーム１４６のそれぞれの末端部に形成される。その縁部は、上部パネル１１２の上縁部と不連続な境界をもたらすことができ、タブ１４０を第２の位置に枢動させるとき、使用者がタブ１４０を容易につかみ、シーム１４６から分離することを可能にする。
【００２４】
図２に示される第２の位置では、タブ１４０が開口１４２を貫通する支持構造体２００と係合することができるように、タブ１４０が展開され、上部パネル１１２と角度αを形成する。例えば支持構造体２００は、パッケージ１００をボードまたは壁３００に釘留めするための釘とすることができる。あるいは、支持構造体２００は、パッケージ１００がそれに沿って摺動可能になるような、パッケージ１００をつるすためのロッドとすることができる。例えばタブ１４０は、上部パネル１１２に対して実質的に直角に、角度αが約９０°になるようにすることができる。
【００２５】
図２に示されるように、上部パネル１１２は、上層１３２および下層１３４を含むことができる。示される実施形態では、タブ１４０を上層１３２に形成することができる。例えば例示的な実施形態では、開口１４２の寸法に対応する充填要素を切り取ることによって、開口１４２を上層１３２に形成し；タブ１４０の枢動を可能にするように、ヒンジ１４４を開口１４２の両側に形成し；タブ１４０の寸法に応じて、穿孔済みのシーム１４６を上層１３２の中に形成する。この構成では、タブ１４０が包装、保管および／または輸送のために第１の位置の位置にあるとき、パッケージ１００の上部パネル１１２に対して平らで連続する面を設けることができる。
【００２６】
パッケージ１００を組み立てるとき、上部パネル１１２は、上層１３２を下層１３４の上に折り曲げることによって形成することができる。さらに、接着剤を上層１３２の下面（タブ１４０を除く）に塗布して、それを下層１３４に固定することができる。例えば接着剤は、上層１３２のタブ１４０に隣接する（例えば、タブ１４０の横および／または前の）部分の下面に塗布することができる。接着剤は、上層１３２の下面のすべて、実質的にすべて、または所定の部分に塗布することができる。したがって、タブ１４０が第２の位置にあるとき、上部パネル１１２には、パッケージ１００の内容物を外部環境に曝すことになる穴、空隙または空間は存在せず、上層１３２は下層１３４に固定される。したがって、パッケージ１００にいずれの穴、空隙または空間があれば、不正開封の証拠になり得る。同様に、タブ１４０はヒンジ１４４を介して上層１３２と一体成形することができるため、タブ１４０は裂ける、または取り外された状態になる可能性があり、パッケージ１００の内容物が外部環境に曝されることはない。
【００２７】
様々な特定の実施形態に適用される本発明の特徴について、図示および記載してきた。本発明の趣旨から逸脱することなく、当業者が、示されるデバイスの形態および細部、ならびにそれらの動作に様々な省略、置換および変更を加えることが可能であることも理解されるであろう。例えば、実質的に同じ機能を実質的に同じ方法で実施して同じ結果を得る、要素および／または方法ステップのすべての組合せが、本発明の範囲内であることが明確に意図される。さらに、本発明の開示される任意の形態または実施形態に関連して図示ならびに／または記載される、構造および／もしくは要素および／もしくは方法ステップは、開示または記載または示唆される任意の他の形態もしくは実施形態に、一般的な設計上の選択の問題として組み込むことが可能であることを認識すべきである。したがって、本明細書に添付される特許請求の範囲によって示されるようにのみ限定されることが意図される。
【図１】
2014506818.tif 000003
【図２】
2014506818.tif 000004
【国際調査報告】
2014506818.tif 000005
2014506818.tif 000006
2014506818.tif 000007